(57)【要約】  バリヤを通して無力化剤を送達する発射体が提供され、無力化剤を収納し且つ包閉体を有するキャニスタを含む。キャニスタは、バリヤへの衝突時に半径方向外側に拡開する構成を有する複数のフィンガから構成されるスリーブに固定したホルダ内に保持される。バリヤに侵入する構成を有し且つ分散用ポートを有する弾道体がキャニスタ前方でホルダに連結され、バリヤへの衝突時にその前方位置から後方位置へと軸方向に可動とされ、該弾道体が、当該弾道体が後方に移動するに際して包閉体を破壊するように位置付けた包閉体破壊部材を含んでいる。各フィンガは、バリヤの、前記分散用ポートとは反対側の表面に接触して半径方向に拡開して発射体をバリヤ内に引っ掛ける。
2013521464.tif 000002
【特許請求の範囲】
【請求項１】
固体バリヤを通して標的に無力化剤を送達する構成を有する発射体であって、
無力化剤を収納する構成を有し且つ破壊性の包閉体を備える出口を有するキャニスタと、
該キャニスタを保持する構成を有し且つ外側面を有するキャニスタホルダを含むキャニスタ保持アセンブリと、
半径方向拡開性の変形性のスリーブにして、前記キャニスタホルダの外側面に固定した後端部を有し且つ前記固体バリヤへの衝突時に半径方向外側に拡開する構成を有するスリーブと、
前記バリヤへの衝突時にその前方位置から後方位置へと軸方向に可動であるように前記キャニスタの前方で前記キャニスタ保持アセンブリに可動状態下に連結した弾道体と、
を含み、
前記弾道体が、前記バリヤへの衝突時にその軸方向後方位置に移動する際に前記包閉体を破壊するよう位置付けた包閉体破壊部材を含み、前記弾道体が、前記包閉体破壊時に前記キャニスタの出口と流体連通する複数の分散用ポートを更に含む発射体。
【請求項２】
前記半径方向拡開性のスリーブが実質的に円筒形状を有し且つその円周方向周囲において、前記固体バリヤへの発射体の衝突時に固体バリヤに接触して半径方向外側に拡開する構成を有する、半径方向変形性の複数の軸方向フィンガに分割される請求項１に記載の発射体。
【請求項３】
前記弾道体が、前記固体バリヤへの発射体の衝突時に当該固体バリヤに侵入する構成を有する侵入チップにおいて終端する前方部分を有する請求項１に記載の発射体。
【請求項４】
前記半径方向拡開性のスリーブを同中心状態下に包囲し且つ前記固体バリヤへの発射体の衝突時に分離する構成を有する、脆性の外側スリーブを更に含む請求項１に記載の発射体。
【請求項５】
キャニスタホルダが、前記半径方向拡開性のスリーブが底に装着される装着部を含み、前記外側スリーブが該装着部に近位する位置でキャニスタホルダに着脱自在に装着される請求項４に記載の発射体。
【請求項６】
脆性のノーズコーンが弾道体を包囲して外側スリーブ及び半径方向拡開性のスリーブと接触係合し、当該ノーズコーンは、固体バリヤに衝突すると前記外側スリーブの拡開と、前記半径方向拡開性のスリーブの半径方向拡開とを開始させる請求項４に記載の発射体。
【請求項７】
前記弾道体を固定するリンク要素を更に含み、当該リンク要素が、その前方位置から後方位置へと軸方向に移動し得るように前記キャニスタ保持アセンブリに可動状態下に連結される請求項１に記載の発射体。
【請求項８】
キャニスタ保持アセンブリが、キャニスタホルダの前方部に固定したキャニスタ保持カラーを含み、前記リンク要素が当該キャニスタ保持カラーに可動状態下に連結される請求項７に記載の発射体。
【請求項９】
半径方向拡開性のスリーブが実質的に円筒状形態を有し且つその円周方向周囲において、半径方向変形性の複数の軸方向フィンガに分割され、該フィンガが、固体バリヤへの発射体衝突時に該固体バリヤと接触して半径方向外側に拡開する構成を有し、各フィンガが、カムフォロワ要素をその上部に備える内側表面を有し、前記リンク要素が、各フィンガの前記カムフォロワと係合するように位置付けたカム要素を有し、該カム要素が、前記リンク要素がその前方位置から後方位置へと移動するに従い各フィンガを半径方向外側に付勢する構成を有する請求項７に記載の発射体。
【請求項１０】
固体バリヤを通して標的に無力化剤を送達する構成を有する発射体であって、
無力化剤が充填され且つ破壊性の包閉体を備える出口を有するキャニスタと、
キャニスタを保持する構成を有し且つ外側表面を有するキャニスタ保持アセンブリと、
半径方向変形性の軸方向の複数のフィンガにして、各フィンガが、前記キャニスタ保持アセンブリの外側表面に装着した後方部分を有し、各フィンガが、固体バリヤへの衝突時に半径方向外側に拡開する構成を有するフィンガと、
分散用ポートを有する弾道体にして、バリヤへの衝突時にその前方位置から後方位置へと軸方向に可動であるよう、前記キャニスタの前方でキャニスタホルダに可動状態下に連結された弾道体と、
該弾道体内に取り付けた包閉体破壊部材にして、前記弾道体がその後方位置に移動する際に包閉体を破壊し、かくして前記キャニスタから弾道体及び分散用ポートを通る流体通路を開放するようにキャニスタに関して位置付けた包閉体破壊部材と、
を含み、
前記弾道体が、バリヤへの該弾道体の衝突時に該バリヤに侵入する構成を有し、バリヤへの衝突時に前記弾道体がその後方位置に移動することで、前記軸方向の各フィンガが該バリヤに接触する状態下に半径方向外側に拡開され、かくして前記弾道体が、バリヤの、各フィンガとは反対側で分散用ポートを通して無力化剤を分散させるための然るべき位置でバリヤ内に引っ掛かる発射体。
【請求項１１】
前記軸方向のフィンガを同中心状態下に包囲し且つバリヤへの発射体衝突時に当該状態から分離する構成を有する脆性の外側スリーブを更に含む請求項１０に記載の発射体。
【請求項１２】
キャニスタ保持アセンブリが、軸方向のフィンガを装着する装着部を含み、外側スリーブが該装着部に近位する位置でキャニスタ保持アセンブリに着脱自在に装着される請求項１１に記載の発射体。
【請求項１３】
外側スリーブ及び軸方向のフィンガと接触係合するように弾道体を包囲する脆性のノーズコーンを更に含み、該ノーズコーンが、バリヤへの衝突時に外側スリーブの分離及び半径方向拡開を開始させる請求項１２に記載の発射体。
【請求項１４】
弾道体を固定するリンク要素を更に含み、該リンク要素が、その前方位置から後方位置へと軸方向に可動であるようにキャニスタ保持アセンブリに可動状態下に連結される請求項１０に記載の発射体。
【請求項１５】
前記キャニスタ保持アセンブリが、前方部を有するキャニスタホルダを有し、該キャニスタホルダの前記前方部にはキャニスタ保持カラーが固定され、前記キャニスタホルダが、軸方向のフィンガを装着する外側表面を有し、前記リンク要素が前記キャニスタ保持カラーに可動状態下に連結される請求項１４に記載の発射体。
【請求項１６】
軸方向の各フィンガが、カムフォロワ要素をその上部に備える内側表面を有し、前記リンク要素が、前記軸方向の各フィンガのカムフォロワ要素と係合するようにその上部に位置付けたカム要素を有し、該カム要素が、前記リンク要素がその前方位置から後方位置へと移動するに従い、前記軸方向の各フィンガを半径方向外側に付勢する構成を有する請求項１４に記載の発射体。
【請求項１７】
固体バリヤを通して標的に無力化剤を送達する方法であって、
ａ）発射体提供ステップにして、該発射体が、無力化剤を収納し且つ破壊性包閉体を有するキャニスタ、該キャニスタを保持する構成を有し且つ外側表面を有するキャニスタホルダ、該キャニスタホルダの外側表面に装着した半径方向拡開性スリーブ、前記固体バリヤに侵入する構成を有し且つ分散用ポートを有する弾道体、該弾道体に固定した包閉体破壊部材にして、弾道体がその後方位置に移動すると包閉体を破壊してキャニスタと分散用ポートとの間に流体連通を確立する包閉体破壊部材と、を含み、該弾道体が、固体バリヤへの衝突時にその前方位置と後方位置との間で軸方向に可動であるように前記キャニスタホルダに可動状態下に連結される発射体提供ステップと、
ｂ）発射体を、固定バリヤの背後または下方の標的に向けて発射するステップと、
ｃ）前記弾道体を固定バリヤに衝突及び侵入させて該弾道体をその前方位置から後方位置へと移動させることで包閉体破壊部材をして包閉体を破壊せしめ、かくして、前記キャニスタから、分散用ポートを通る流体通路を確立するステップと、
ｄ）前記半径方向拡開性のスリーブを固体バリヤに接触させて半径方向に拡開させ、かくして発射体を、分散用ポートが固体バリヤの標的側に配置される状態下に固体バリヤ内に引っ掛からせるステップと、
を含む方法。
【請求項１８】
前記半径方向拡開性のスリーブが実質的に円筒状に構成され且つその円周方向周囲が、半径方向変形性の複数の軸方向のフィンガに分割され、該半径方向拡開性のスリーブが半径方向に拡開するステップが、固体バリヤへの発射体衝突時に各フィンガを前記固体バリヤに接触させて半径方向外側に拡開させることを含む請求項１７に記載の方法。
【請求項１９】
前記弾道体が、固体バリヤへの衝突時に該固体バリヤに侵入する構成を有する侵入チップにおいて終端する前方部を有する請求項１７に記載の方法。
【請求項２０】
発射体が、前記半径方向拡開性のスリーブを同中心状態下に包囲する脆性の外側スリーブを更に含み、発射体を固体バリヤに衝突及び侵入させるステップが、
ｃ）（１）固体バリヤへの衝突時に前記外側スリーブを分裂させ且つ発射体から分離させるステップ、
ｃ）（２）固体バリヤに弾道体を侵入させるステップ、
を更に含む請求項１７に記載の方法。
【請求項２１】
キャニスタホルダが、前記半径方向拡開性のスリーブを装着する装着部を含み、前記外側スリーブが該装着部に近接してキャニスタホルダに着脱自在に装着される請求項２０に記載の方法。
【請求項２２】
発射体が、前記半径方向拡開性のスリーブを同中心状態下に包囲する脆性の外側スリーブと、該外側スリーブ及び半径方向拡開性のスリーブと接触係合するように前記弾道体を包囲する脆性のノーズコーンとを更に含み、発射体を固体バリヤに衝突及び侵入させるステップが、
ｃ）（１）前記ノーズコーンを固体バリヤに衝突させて該ノーズコーンを分裂させるステップ、
ｃ）（２）前記ノーズコーンを分裂させた状態下に、前記ノーズコーンと、外側スリーブ及び半径方向拡開性のスリーブとの係合を介し、前記外側スリーブの分裂及び前記半径方向拡開性のスリーブの半径方向拡開を開始させるステップ、
ｃ）（３）固体バリヤに弾道体を侵入させるステップ、
を含む請求項１７に記載の方法。
【請求項２３】
前記弾道体を固定するリンク要素を更に含み、該リンク要素が、その前方位置から後方位置へと軸方向に可動であるようにキャニスタホルダに可動状態下に連結される請求項１７に記載の方法。
【請求項２４】
キャニスタホルダが、キャニスタ保持カラーを固定する前方部分を有し、リンク要素がキャニスタ保持カラーに可動状態下に連結される請求項２３に記載の方法。
【請求項２５】
半径方向拡開性のスリーブが実質的に円筒状に構成され且つその円周方向周囲が、発射体の固体バリヤへの衝突時に該固体バリヤに接触して半径方向外側に拡開する構成を有する半径方向変形性の複数の軸方向のフィンガに分割され、各フィンガが、カムフォロワ要素を備える内側表面を有し、リンク要素が、各フィンガの前記カムフォロワ要素と係合するように位置付けたカム要素を有し、該カム要素が、前記リンク要素がその前方位置から後方位置へと移動するに従い各フィンガを半径方向外側に付勢する構成を有する請求項２４に記載の方法。
【発明の詳細な説明】
【技術分野】
【０００１】
本発明は一般に軍需品に関し、詳しくは、一人操作式の、特には携帯型武器から発射または発砲される軍需品あるいは発射体に関する。
【背景技術】
【０００２】
軍事上及び法執行上、反抗的人物を死に至らせぬ程度に無力化させることが必要または所望される場合が多々ある。代表的には無力化剤は、催涙ガス等の非致死性エアロゾルまたはガスあるいはそのバリヤントのＣＳ等である。無力化剤の代表的送達法はガス分散用のキャニスタあるいは擲弾を標的に投擲または発射することである。この方法は、バリヤを介さずに標的に相対する場合、またはキャニスタまたは擲弾を容易に撃ち込める外窓のある室内に標的が居る場合は功を奏する。
【０００３】
しかし、構造物、車両、あるいはその他の、ガラス窓等の容易に侵入できるバリヤを通して標的に接近することができない、または、構造物内の標的の居場所が通常のガス分散用のキャニスタあるいは擲弾の射程範囲外である場合は問題がある。この場合、法執行者あるいは軍人は、無力化剤を有効配置させ得るよう、より危険な配置を取らざるを得ない。しかも、キャニスタあるいは擲弾は通常は構造物、車両あるいは包囲構造の床上に着弾するため、無力化される前に標的者が処理する機会を与える恐れがある。
【発明の概要】
【発明が解決しようとする課題】
【０００４】
従来のガス分散用軍需品では届かないあるいは打ち込めない構造物または包囲構造内の標的に無力化剤を送達する装置、機構及びまたは方法を提供することであり、更には、着弾後ほぼ即座に無力化剤分散を開始ししかも標的が容易に処理できない発射体等を提供することであり、また、従来の擲弾ランチャーから発射可能な、前記各特徴構成の組合せ構造を提供することである。
【課題を解決するための手段】
【０００５】
本発明の１様相によれば、固体バリヤを通して標的に無力化剤を送達する構成を有する発射体であって、無力化剤を収納する構成を有し且つ破壊性の包閉体を備える出口を有するキャニスタと、該キャニスタを保持する構成を有し且つ外側面を有するキャニスタホルダと、半径方向に拡開可能な変形性のスリーブにして、前記キャニスタホルダの外側面に固定され、前記固体バリヤへの衝突時に半径方向外側に拡開する構成を有するスリーブと、前記バリヤへの衝突時にその前方位置から後方位置へと軸方向に可動であるように前記キャニスタの前方で前記キャニスタホルダに可動状態下に連結した弾道体と、を含み、前記弾道体が、前記バリヤへの衝突時にその軸方向後方位置に移動する際に前記包閉体を破壊するよう位置付けた包閉体破壊部材を含み、前記弾道体が、前記包閉体破壊時に前記キャニスタの出口と流体連通する複数の分散用ポートを更に含む発射体が提供される。
【０００６】
本発明の他の様相によれば、固体バリヤを通して標的に無力化剤を送達する構成を有する発射体であって、無力化剤が充填され且つ破壊性の包閉体を備える出口を有するキャニスタと、外側面を有するキャニスタホルダと、実質的に円筒形状の減速用スリーブにして、前記キャニスタホルダの外側面上に固定され且つ、固体バリヤへの衝突時にその周囲方向において半径方向外側に拡開する構成を有する半径方向に変形性の複数の軸方向フィンガに区分された減速用スリーブと、前記固体バリヤへの衝突時にその前方位置から後方位置へと軸方向に可動であるように前記キャニスタ前方で前記キャニスタホルダに可動状態下に連結した弾道体と、を含み、該弾道体が、その前端位置の侵入チップ内で終端する切頭円錐形状部と、前記弾道体がその後方位置に移動する際に前記包閉体を破壊して前記キャニスタから弾道体を貫く流体通路を開放させるよう位置付けた包閉体破壊部材とを含み、前記侵入チップが、前記固体バリヤへの衝突時に該バリヤに侵入する構成を有し、前記弾道体がその後方位置に移動して前記軸方向フィンガが固体バリヤに衝突すると該軸方向フィンガが固体バリヤに接触して半径方向外側に拡開し、かくして該弾道体を、前記軸方向フィンガとは反対の側部での無力化剤分散のための然るべき位置に留める発射体が提供される。
【０００７】
好ましい実施例において、本発明のガス分散用発射体は従来の擲弾ランチャーから発射される構成を有し且つそのように適合される。この目的上、減速用スリーブ及びキャニスタホルダは、幾つかの標準的な擲弾ランチャーの任意の口径に嵌合するディメンションの、脆性の円筒状の外側スリーブ内で同中心状態下に有益に包囲される。前記外側スリーブには有益には、精度向上のためのジャイロスコープ旋回を発射体に付与して発射体を安定させるよう、擲弾ランチャーバレルの施条部と係合する円周方向の１つ以上の峰部またはビードが設けられる。好ましい実施例では弾道体の侵入チップを包囲する脆性のノーズコーンが外側スリーブの前方端に固定される。ノーズコーンは軸方向の各フィンガの前方端に接触して係合し、固体バリヤへの衝突時に軸方向フィンガに半径方向外側力を付加し、かくして該軸方向フィンガの半径方向拡開を開始させる。外側スリーブの後方において、キャニスタホルダの後方部分をシェルケーシングが同中心状態下に包囲し且つ係合する。シェルケーシングには推進薬が充填され、中央点火雷管が設けられる。
【０００８】
本発明の発射体によれば、従来のガス分散用発射体または軍需品に著しく勝る利益が提供される。例えば、本発明の発射体は従来の擲弾ランチャーから発射されると標的者の近くでバリヤ表面（例えば壁または屋根）に当たる。侵入チップがバリヤを貫き、その際、減速用スリーブのセグメントまたはフィンガが軸方向後方に剥がれ、次いで半径方向外側に拡開してバリヤ表面に引っ掛かり、かくして発射体のバリヤ完全貫通を防止する。更に、弾道体胴部がバリヤ表面への衝突時にその後方位置へと軸方向に押されることで、包閉体破壊部材が無力化剤を収納する容器またはカプセルの包閉体を破壊し、かくして、無力化剤を分散用ポートを通して容器またはカプセルから標的者の居る室内またはエンクロージャ内に排出させる流路が提供される。かくして、バリヤへの衝突時に無力化剤が分散されることで発射体は、バリヤに事実上“突き刺さって”いる間（おそらく標的からは届かない位置で）は、大抵の場合、標的が発射体を除去するまたは施設から脱出する前に“適量”の無力化剤を送達させ得る。
【発明の効果】
【０００９】
１）従来のガス分散用軍需品では届かないあるいは打ち込めない構造物または包囲構造内の標的に無力化剤を送達する装置、機構及びまたは方法が提供される。
２）着弾後ほぼ即座に無力化剤分散を開始ししかも標的が容易に処理できない発射体等が提供される。
３）従来の擲弾ランチャーから発射可能な、前記各特徴構成の組合せ構造が提供される。
【図面の簡単な説明】
【００１０】
【図１】図１は、本発明の１実施例に従うガス分散用の発射体の斜視図である。
【図２】図２は、図１を線２−２に沿って切断した断面図である。
【図３】図３は、図１の発射体の平面図である。
【図４】図４は、図２を線４−４に沿って切断した断面図である。
【図５】図５は、図２を線５−５に沿って切断した断面図である。
【図６】図６は、図２を線６−６に沿って切断した断面図である。
【図７】図７は、図２を線７−７に沿って切断した断面図である。
【図８】図８は、図２を線８−８に沿って切断した断面図である。
【図９】図９は、先ず固体バリヤに当たる際に発射体のノーズコーン及び外側スリーブが分裂し、減速用スリーブが半径方向に拡開し始める状況を示す断面図である。
【図１０】図１０は、図９を線１０−１０に沿って切断した断面図である。
【図１１】図１１は、図９と類似であるが侵入チップが固体バリヤに侵入し、減速用スリーブが半径方向に拡開し続ける状況を示す断面図である。
【図１２】図１２は、図１１を線１２−１２に沿って切断した断面図である。
【図１３】図１３は、発射体の弾道体が固体バリヤに侵入するに従い発射体のキャニスタ包囲体が破壊され、固体バリヤに接触しての減速用スリーブが拡開し終える状況を示す断面図である。
【図１４】図１４は、弾道体の固体バリヤへの侵入後の発射体の後端部における、減速用スリーブが固体バリヤの外側表面に接触して半径方向外側に完全に拡開した状況を示す斜視図である。
【発明を実施するための形態】
【００１１】
図１〜８を参照するに、本発明の好ましい１実施例に従う、実質的に管状のキャニスタ保持アセンブリに装填した流体用キャニスタ１２を含むガス分散用発射体１０が示され、何れもアルミニューム等の頑丈且つ軽量の金属製であり得るキャニスタホルダ１４及びキャニスタ保持カラー１６を含んでいる。キャニスタホルダ１４の外側には、以下に詳しく説明する実質的に管状の、半径方向拡開性の減速用スリーブ１８が装着される。キャニスタホルダ１４には、以下に詳しく説明するガス分散用の弾道体２０がキャニスタ１２の前方で可動状態下に連結される。キャニスタ１２は、大抵の用途においては、例えば液状の催涙ガスまたはバリアント（例えば、ＣＳ）等の非致死性の無力化剤である流体（液体またはガス）２１を充填するのに好適である。他の用途では流体２１は追跡剤（例えば染料）、あるいは不快臭性忌避剤であり得る。キャニスタ１２は、前方に伸延して弾道体２０の後端部位置の、中央の端部開放チャンバ２４に入るネック２２を有する。
【００１２】
キャニスタホルダ１４は、キャニスタ１２をぴったり受けるよう構成され且つ寸法付けされた内部を有する。キャニスタホルダ１４は前方部３０、中間部３２、後方部３４を含む。減速用スリーブ１８は、以下に詳しく説明する如くキャニスタホルダ１４の中間部３２に固定する後端部を有する。好ましくはアルミニューム製のベース部３６がキャニスタホルダ１４の後方部３４に固定されあるいは別様には一体化され、当該ベース部３６はキャニスタ１２が座着する内側表面を有する。キャニスタホルダの前方部３０はその内側にねじ溝を有する。キャニスタ保持カラー１６は、キャニスタ１２の前方部の周囲にぴったり嵌合するよう寸法付けされ、また、外側ねじ溝付きの後方部３８にして、キャニスタホルダ１４の前方部３０内に螺入してキャニスタホルダ１４と共に前記キャニスタ保持アセンブリを形成する外側ねじ溝付き後方部３８を有する。キャニスタ１２とキャニスタ保持カラー１６の内側表面との間にはＯリング４０が座着される。このＯリングは、前記キャニスタ１２をキャニスタ保持カラー１６と圧縮係合させてキャニスタ保持アセンブリのキャニスタ保持機能上の安全性を高めるためのキャニスタ保持アセンブリの１部品として含まれ得る。キャニスタ保持カラー１６の外側ねじ溝付きの後方部３８の内径は、伽に廃ホルダ１４のそれとほぼ同じであるため、当該外側ねじ溝付きの後方部３８とキャニスタホルダ１４とはキャニスタ１２を保持するディメンションの連続した内面を形成する。
【００１３】
弾道体２０は、前述した端部開放チャンバ２４を画定する環状後方部４２を有する。弾道体２０の環状後方部４２は環状リンク機構４４の内側ねじ溝付き前方部に装着するための外側ねじ溝を有し、前記環状リンク機構の後方部は内径が減径されると共に、常態ではキャニスタ保持カラー１６の外側表面内の環状凹所４８（以下に詳しく説明する）の前方部内に座着する環状カム要素４６として構成される。環状凹所４８はその軸方向において環状カム要素４６の軸方向寸法形状より実質的に大きいために、環状カム要素４６が環状凹所４８の内部で軸方向後方に移動し得る軌道が提供され、かくして、以下に説明する如く、環状リンク機構４４（従って、当該環状リンク機構４４に装着した弾道体２０も）がキャニスタ１２に関してその前方位置（図２及び９）から後方位置（図１１）へと軸方向に移動可能となる。有益にはアルミニューム製である環状リンク機構４４はその前方位置では弾道体２０を空間５０によりキャニスタ保持カラー１６から離間させ、キャニスタ１２のネック２２は上述した如くチャンバ２４内に伸延する。
【００１４】
弾道体２０の内部には、好ましくは金属製のロッドあるいはピンとして形成した包閉体破壊部材５２が、後方に伸延してチャンバ２４内に入る状態で固定される。包閉体破壊部材５２の長さは、包閉体またはシール２６の手前で終端するように寸法付けされる。以下に説明する如く、バリヤへの発射体の衝突に応じて弾道体２０が軸方向後方（即ちキャニスタ保持アセンブリ１４、１６方向）に移動すると、包閉体破壊部材５２がシールまたは包閉体２６を穿刺または破裂させてキャニスタ１２の中身を釈放し、次いで釈放された中身がチャンバ２４に流入し、該チャンバ２４から半径方向で弾道体２０の外側に伸延する少なくとも１つの、好ましくは複数の分散用ポート５４を通して弾道体２０を出る。
【００１５】
弾道体２０は、その最前方端位置が侵入チップ５８方向に傾斜する実質的に切頭円錐状の前端部５６を有する。当該前端部５６は特定用途に対してその他構成のものとされ得る。弾道体２０、特には前端部５６の材料は特定用途に対して選択され得る。例えば、壁貫通用にはステンレススチール（例えば３００番台のステンレススチール）が好適であり、徹甲用には劣化ウランを使用し得る。
【００１６】
図５、６、７に最良に示される如く、有益には軟鋼製である減速用スリーブ１８は有益には、複数の軸方向スリット６０により、円周方向に隣り合う変形性の複数の軸方向スリーブセグメントにして、各セグメントが軸方向に伸延する変形性のフィンガ６２を画定する軸方向スリーブセグメントに分割される。例示実施例では各フィンガ６２は環状の装着フィッティング６４から、前方の、有益には鋭端化した先端部６６へと伸延する。装着フィッティング６４はキャニスタホルダ１４の中間部３２の外側表面に装着される。１実施例では、例示した如く、装着フィッティング６４はその内側が、キャニスタホルダ１４の中間部３２の外側のねじ溝と合致するねじ溝が形成される。あるいは装着フィッティング６４は、キャニスタホルダ１４と一体形成され得る。各フィンガ６２の先端部６６は、弾道体２０の切頭円錐状の前端部５６の後端から前方に短距離伸延するのが好ましい。
【００１７】
図２及び７に最良に示される如く、各フィンガ６２はその内側表面上にカムフォロワ要素７０を有する。カムフォロワ要素７０は、キャニスタホルダ１４の環状凹所４８の後方部内に座着する。各カムフォロワ要素７０は、リンク機構４４のカム要素４６上の後方傾斜面に係合し且つ該後方傾斜面に相補する前方傾斜面を有する。例示実施例では、減速用スリーブは６本（図１０、１２、１４）であるが、当該本数はもっと少ない３本あるいは４本、もっと多い８本あるいはそれ以上とし得る。
【００１８】
代表的な擲弾ランチャーの穿孔内への適正嵌合を保証するべく、減速用スリーブ１８の外側周囲に、脆性の、実質的に円筒状の外側スリーブ７２が設けられる。外側スリーブ７２の外径は、代表的な擲弾ランチャーの穿孔に適合する、例えば、３７ｍｍあるいは４０ｍｍであり得る。レーザー焼結ナイロン製であり得る外側スリーブ７２には、有益には、以下に説明する如く、当該外側スリーブ７２の断片化及び分離を容易化する区分線を形成する、軸方向に伸延する複数の等間隔溝７４（図５）が設けられる。外側スリーブ７２の前端は有益には各フィンガ６２の先端と略同延化され、他方、その後端は、減速用スリーブ１８の装着フィッティング６４とキャニスタホルダ１４の中間部３２との間の交差部の直後位置に配置した、キャニスタホルダ１４の増径セクション７８内に設けた、前向き環状スロット７６内に保持される。外側スリーブ７２の外側表面上には有益には、１つ以上の円周方向峰部またはビード８０を設け得る。各ビード８０は、仮にこれを設ける場合は、発射される発射体にジャイロスコープ旋回が付与されてその精度が向上するよう、擲弾ランチャー穿孔内の施条部と係合する構成とされる。
【００１９】
好ましい実施例では、弾道体２０の切頭円錐状の前端部５６を包囲する脆性のノーズコーン８２が外側スリーブ７２の前端部に固定され得る。ノーズコーン８２は有益には空力学的形状の外側表面を有するが、外側スリーブ７２の前端及び軸方向のフィンガ６２の前方の先端部６６の両方に座着する後向き環状肩部８４を有する。後向き環状肩部８４は、各フィンガ６２の先端部６６の内側表面と接触係合するアングルカム面８５を画定する。従って、以下に説明する如く、固体バリヤへの衝突時において、ノーズコーン８２のアングルカム面８５が各フィンガ６２に半径方向外側力を付与して半径方向への拡開を開始させ、それが結局、外側スリーブ７２を分裂させる。ノーズコーン８２は、仮にこれを設ける場合は、外側スリーブ７２と同じ脆性の材料（例えば、レーザー焼結ナイロン）製とするのが好ましい。ノーズコーン８２は、その前端から伸延され、その各側部に沿って後退する複数のスリット８６により、衝突時の分裂を容易化する複数のノーズコーンセグメントに分割されることが好ましい。例示実施例では当該ノーズコーンセグメント数は番号８２ａ、８２ｂ、８２ｃで示す３つであるが、その他の数であっても良い。他の実施例では弾道体２０は軸方向の各フィンガ６２と直接係合する構成を有し得、かくして、ノーズコーン８２は不要である。
【００２０】
キャニスタホルダ１４の増径セクション７８は、後向き肩部９０を形成する環状リップ８８を備える構成を有する。後向き肩部９０は、キャニスタホルダ１４の増径セクション７８に固定した管状のシェルケーシング９２の前端のための座部を形成する。シェルケーシング９２はキャニスタホルダ１４の最後部及びベース部３６を同中心状態下に包囲及び包入し、そこから後方に伸び、ケーシングリム部９４の位置で終端する。シェルケーシング９２には、ケーシングリム部９４の中心に収納した中心着火プライマキャップ９６により着火される推進薬９５が充填される。推進薬９５とベース部３６との間には有益には装薬押さえ要素９８を設け得る。装薬押さえ要素９８とベース部３６の隣接面とは有益には、推進薬９５のための空間を増大させると共に、着火により提供される推進力を増長させるべく、図示の如き凹型形状を有し得る。
【００２１】
図９〜１４を参照するに、好適な直径の外側スリーブ７２を含む発射体１０は、従来の擲弾ランチャー（図示せず）から発射される。発射に際し、シェルケーシング９２はランチャー内に残り、発射体１０はランチャーの胴部（図示せず）を離れる。発射体１０は標的エンクロージャ（即ち静止構造物または車両）に向かう。図９及び１０に示す如く、発射体は壁または天井あるいはその他の、エンクロージャの一部を構成する固体バリヤに衝突するとノーズコーン８２が分裂する。分裂するノーズコーンはフィンガ６２と係合して各フィンガをそのスリット６０に沿って相互に分離させ、かくして、フィンガ６２の半径方向拡開を開始させ、それが結局、外側スリーブ７２を上述した如く分裂させて環状スロット７６との交差部位置で破断させ、かくして発射体の残余部分から分離させる。
【００２２】
従って、図１１及び１２に示す如く、弾道体２０の侵入チップ５８がバリヤ１００に衝突して当該バリヤに侵入し始めるに従い、弾道体２０は衝撃力で押し戻され、包閉体破壊部材５２がキャニスタ１２の包閉体２６を破壊あるいは破裂させる。同時に、リンク機構４４がキャニスタ保持カラー１６の凹所４８内に押し戻され、かくしてリンク機構４４上のカム要素４６を各フィンガ６２の内面上のカムフォロワ要素７０に押し付けて当該カムフォロワ要素７０を半径方向外側に移動させ、それにより各フィンガ６２をキャニスタ保持アセンブリから半径方向に離間する方向へと更に拡開させる。
【００２３】
図１３及び１４に示す如く、各フィンガ６２は半径方向に完全に拡開され、弾道体２０がバリヤ１００に侵入するに従いバナナの皮の如く弾道体２０から後方に剥かれる。フィンガ６２は、軸方向後方に剥かれるに従い半径方向外側に拡開し（図１４参照）、弾道体周囲のバリヤ１００の外側表面に接触係合し、かくして、発射体１０がバリヤ１００を完全に貫くのを防止する。かくして発射体１０はバリヤ１００に引っ掛かり、弾道体２０はエンクロージャ内にあり、発射体１０の後方部は図１４に示す如く当該エンクロージャの外側に載置される。弾道体２０の切頭円錐状の前端部５６及び侵入チップ５８及びまたは変形性の減速用スリーブのフィンガ６２の形態を適正化することで、分散用ポート５４の全てでなければその殆どをエンクロージャの内側に導入するに十分な距離において弾道体２０の必要分がバリヤ１００を貫くように、発射体１０を減速及び停止させ得る。この目的上、複数の分散用ポート５４を図示の如く２つあるいはそれ以上の、軸方向に間隔を置いた複数の列状に配置するのが有益であり得る。
【００２４】
上述した如く、また図１１及び１３に示した如く、バリヤ１００に衝突する弾道体２０の力が当該弾道体２０をキャニスタ保持カラー１６方向に押し戻し、かくして、包閉体破壊部材５２がキャニスタ１２の包閉体２６を破壊してキャニスタ１２の流体内容物２１をチャンバ２４に流入させ、次いで分散用ポート５４に通し、エンクロージャの、バリヤの標的側における周囲環境内に排出させる。仮にキャニスタの内容物２１が液体であると、当該液体はチャンバ２４に流入し、分散用ポート５４を通過し、エンクロージャ内に排出されるに従いエアロゾル化される。ガスあるいはエアロゾル化液体であるとを問わず、キャニスタ１２の内容物２１は弾道体２０がバリヤを突き抜くとほぼ即座に分散され始める。
【００２５】
本発明に従う発射体１０は、従来の擲弾ランチャー手段により、遠隔標的に無力化剤を正確に送達するための機構を提供する。更には、前記無力化剤はビルの屋根あるいは壁、または車両内等の固体バリヤの背後あるいは下方の、従って、従来方式で送達されるガス分散用擲弾その他では届かない標的に送達され得る。また、本発明の発射体により送達される無力化剤は当該発射体の衝突時にほぼ即座に分散され始め、他方、発射体がバリヤ衝突時に当該バリヤに引っ掛かることで、無力化ガスが所望の効果を奏する以前に単数あるいは複数の標的者により除去または廃棄するのが困難化される。
以上、本発明を実施例を参照して説明したが、本発明の内で種々の変更をなし得ることを理解されたい。
【符号の説明】
【００２６】
１０  ガス分散用発射体
１２  流体用キャニスタ
１４  キャニスタ保持アセンブリ
１６  キャニスタ保持カラー
１８  減速用スリーブ
２０  弾道体
２１  流体内容物
２２  ネック
２４  端部開放チャンバ
２６  包閉体
３０  前方部
３２  中間部
３４  後方部
３６  ベース部
３８  後方部
４０  Ｏリング
４２  環状後方部
４４  環状リンク機構
４６  環状カム要素
４８  環状凹所
５０  空間
５２  包閉体破壊部材
５４  分散用ポート
５６  前端部
５８  侵入チップ
６０  軸方向スリット
６２  フィンガ
６４  装着フィッティング
６６  先端部
７０  カムフォロワ要素
７２  外側スリーブ
７４  等間隔溝
７６  環状スロット
７８  増径セクション
８０  ビード
８２  ノーズコーン
８４  環状肩部
８５  アングルカム面
８６  スリット
８８  環状リップ
９０  肩部
９２  シェルケーシング
９４  ケーシングリム部
９５  推進薬
９６  中心着火プライマキャップ
９８  装薬押さえ要素
１００  バリヤ
【図１】
2013521464.tif 000003
【図２】
2013521464.tif 000004
【図３】
2013521464.tif 000005
【図４】
2013521464.tif 000006
【図５】
2013521464.tif 000007
【図６】
2013521464.tif 000008
【図７】
2013521464.tif 000009
【図８】
2013521464.tif 000010
【図９】
2013521464.tif 000011
【図１０】
2013521464.tif 000012
【図１１】
2013521464.tif 000013
【図１２】
2013521464.tif 000014
【図１３】
2013521464.tif 000015
【図１４】
2013521464.tif 000016
【国際調査報告】
2013521464.tif 000017
2013521464.tif 000018